(57)【要約】【課題】口腔内における２つの部分間の距離を容易に測定することができる口腔用測定具を提供する。【解決手段】測定具１は、口腔内における２つの部分間の距離を測定するために用いられ、測定板２と、測定板２に連結されたハンドル４とを備えている。測定板２は、口腔内の第１の部分に当接する当接縁２１と、当接縁２１が口腔内の第１の部分に当接した状態における口腔内の第２の部分の位置を読み取るための複数の目盛線２２ａ、２２ｂ、２２ｃ…を備えた目盛部２２とを備えている。【選択図】  図３
2018198888.tif 000002
【特許請求の範囲】
【請求項１】
口腔内における２つの部分間の距離を測定する口腔用測定具であって、
測定板と、前記測定板に連結されたハンドルと、を備え、
前記測定板は、
口腔内の第１の部分に当接する当接縁と、
前記当接縁が口腔内の第１の部分に当接した状態における口腔内の第２の部分の位置を読み取るための複数の目盛線を備えた目盛部と、
を備えたこと、
を特徴とする口腔用測定具。
【請求項２】
請求項１の口腔用測定具において、
前記当接縁は、滑らかな凸型曲線状に形成されたこと、
を特徴とする口腔用測定具。
【請求項３】
請求項２の口腔用測定具において、
前記各目盛線は、前記当接縁を構成する凸型曲線と平行な曲線として構成されたこと、
を特徴とする口腔用測定具。
【発明の詳細な説明】
【技術分野】
【０００１】
この発明は、口腔用の測定具に関し、とくに、口腔内における２つの部分間の距離を測定する技術に関する。
【背景技術】
【０００２】
無歯顎患者に装着される総義歯等の製作過程において、咬合床が作製される。咬合床は、基礎床の上に蝋堤（咬合堤）を付与した仮の義歯床である。
【０００３】
咬合床の作製にあたり、まず、患者の口腔内粘膜の形状を模した作業用模型に基づいて上下顎基礎床が作製される。つぎに、この上下顎基礎床それぞれに、解剖学的平均値等に基づく標準的寸法の略馬蹄形の蝋堤材（パラフィンワックス）が結合される。このようにして標準的な上下顎咬合床が作製される。
【０００４】
作製された標準的な咬合床は、診療室において患者の口腔内の上下顎堤部に装着され、咬み合わせの高さ、歯列弓の大きさ、前歯部の位置などが調整され、上下顎の位置関係等が記録される。（たとえば、特許文献１の［０００３］参照）。
【０００５】
この場合、標準的な咬合床をそのまま適用できる患者はそれほど多くなく、ほとんどの場合、蝋堤のワックスを削ったり肉盛りしたりすることで、個々の患者に適合するよう調整される。
【０００６】
たとえば、一般的に上顎蝋堤の前歯部切端相当部の位置（上顎中切歯の先端に相当する位置）は、安静時における患者の上唇下縁の位置に基づいて決定され、これにしたがって、上顎蝋堤の前歯部の高さが調整される。患者の上唇下縁の位置と、標準的寸法の上顎蝋堤の前歯部の高さとの差が大きければ、診療室における蝋堤の調整作業に多くの時間を費やすこととなり、その結果、患者の負担も大きくなる。
【０００７】
一方、基礎床の作製に用いられる作業用模型を作製するために、診療室において、患者の口腔内粘膜の印象採得が行われる。したがって、たとえばその際に、患者の上顎前歯部における歯槽頂（顎堤頂）と上唇下縁との段差を容易に測定することができれば、測定結果を、歯科技工所等におけるその患者の蝋堤の製作に反映させることができる。これにより、診療室での蝋堤の調整作業を少なくすることができ、患者の負担も軽減することが可能となる。
【先行技術文献】
【特許文献】
【０００８】
【特許文献１】特開２００９−１０６６８６号公報
【発明の概要】
【発明が解決しようとする課題】
【０００９】
この発明は、このような観点に基づいてなされたもので、口腔内における２つの部分間の距離を容易に測定することができる口腔用測定具を提供することを目的とする。
【課題を解決するための手段】
【００１０】
この発明による口腔用測定具は、口腔内における２つの部分間の距離を測定する口腔用測定具であって、測定板と、測定板に連結されたハンドルと、を備え、測定板は、口腔内の第１の部分に当接する当接縁と、当接縁が口腔内の第１の部分に当接した状態における口腔内の第２の部分の位置を読み取るための複数の目盛線を備えた目盛部と、を備えたこと、を特徴とする。
【００１１】
本発明の特徴は、上記のように広く示すことができるが、その構成や内容は、目的および特徴とともに、図面を考慮に入れた上で、以下の開示によりさらに明らかになるであろう。
【発明の効果】
【００１２】
本願の第１発明による口腔用測定具は、口腔内における２つの部分間の距離を測定する口腔用測定具であって、測定板と、測定板に連結されたハンドルと、を備え、測定板は、口腔内の第１の部分に当接する当接縁と、当接縁が口腔内の第１の部分に当接した状態における口腔内の第２の部分の位置を読み取るための複数の目盛線を備えた目盛部と、を備えたこと、を特徴とする。
【００１３】
したがって、測定板の当接縁を口腔内における第１の部分（たとえば、患者の上顎前歯部における歯槽頂）に当接させ、その状態において、口腔内の第２の部分（たとえば、上唇下縁）が、目盛部のどの目盛線に対応する位置にあるかを読み取ることにより、容易に、２つの部分間の距離（たとえば、上顎前歯部における歯槽頂と上唇下縁との段差）を測定することができる。
【００１４】
すなわち、口腔内における２つの部分間の距離を容易に測定することができる。
【００１５】
本願の第２発明による口腔用測定具は、本願の第１発明による口腔用測定具において、当接縁は、滑らかな凸型曲線状に形成されたこと、を特徴とする。
【００１６】
口腔内の第１の部分に当接する当接縁を滑らかな凸型曲線状に形成することで、測定の際に口腔内を不用意に傷つけたり、痛みを与えたりすることを防止することができる。このため、さらに容易に、口腔内における２つの部分間の距離を測定することができる。
【００１７】
本願の第３発明による口腔用測定具は、本願の第２発明による口腔用測定具において、各目盛線は、当接縁を構成する凸型曲線と平行な曲線として構成されたこと、を特徴とする。
【００１８】
つまり、当接縁および各目盛線は、相互に一定距離を保つ平行曲線を構成している。したがって、口腔内の第１の部分に当接する当接縁の位置の如何にかかわらず、口腔内の第１の部分と第２の部分との距離を正確に測定することが可能となる。すなわち、さらに容易かつ正確に、口腔内における２つの部分間の距離を測定することができる。
【図面の簡単な説明】
【００１９】
【図１】図１Ａは測定具１の構成を示す斜視図、図１Ｂは測定具１の正面図である。
【図２】図２Ａは測定具１の平面図、図２Ｂは測定具１の底面図、図２Ｃは測定具１の左側面図、図２Ｄは測定具１の右側面図である。
【図３】図３Ａは図１Ａに示す測定板２近傍の部分拡大図、図３Ｂは図２Ａに示すIIIＢ−IIIＢ線に沿う切断部の拡大端面図、図３Ｃは図１Ｂに示すIIIＣ−IIIＣ線に沿う切断部の拡大端面図、図３Ｄは図１Ｂに示すIIIＤ−IIIＤ線に沿う切断部の拡大端面図である。
【図４】図４Ａおよび図４Ｂは、測定具１の使用方法の一例を説明するため図面である。
【図５】図５Ａは、測定具１０１の測定板１０２近傍の部分拡大斜視図である。図５Ｂは、測定板１０２近傍の部分拡大底面図である。
【発明を実施するための形態】
【００２０】
まず、この発明の一の実施形態による口腔用測定具である測定具１について説明する。
【００２１】
図１Ａは測定具１の構成を示す斜視図、図１Ｂは測定具１の正面図である。図２Ａは測定具１の平面図、図２Ｂは測定具１の底面図、図２Ｃは測定具１の左側面図、図２Ｄは測定具１の右側面図である。なお、測定具１の背面図は、正面図と対称に表れるので省略する。
【００２２】
図１Ａから図２Ｄに示すように、測定具１は、平面視において円形の、板状（円板状）の測定板２と、測定板２に連結された棒状のハンドル４とを備えている。測定板２とハンドル４とは、棒状の連結ロッド６を介して間接的に連結されている。
【００２３】
図３Ａは図１Ａに示す測定板２近傍の部分拡大図、図３Ｂは図２Ａに示すIIIＢ−IIIＢ線に沿う切断部の拡大端面図、図３Ｃは図１Ｂに示すIIIＣ−IIIＣ線に沿う切断部の拡大端面図、図３Ｄは図１Ｂに示すIIIＤ−IIIＤ線に沿う切断部の拡大端面図である。
【００２４】
図３Ａおよび図３Ｂに示すように、測定板２は、口腔内の第１の部分に当接する当接縁２１と、当接縁２１が口腔内の第１の部分に当接した状態における口腔内の第２の部分の位置を読み取るための複数の目盛線２２ａ、２２ｂ、２２ｃ…を備えた目盛部２２と、を備えている。
【００２５】
円板状の測定板２の円形の外周近傍の一部に、連結ロッド６が、斜め上方に向けて固定的に結合されている。測定板２の円形の外周のうち、連結ロッド６が設けられた部分以外の部分が、当接縁２１を構成している。したがって、当接縁２１は、測定板２の平面視において、滑らかな凸型曲線である円弧状に形成されている。
【００２６】
この例では、測定板２の円形の外周３６０度のうち、当接縁２１の占める角度は３００度以上に設定されているが、当接縁２１の占める角度はこれに限定されるものではない。ただし、当接縁２１の占める角度が１８０度以上であることが好ましく、より好ましくは２１０度以上、さらに好ましくは２４０度以上、最も好ましくは２７０度以上である。
【００２７】
円板状の測定板２の上面（円状の略平面）が目盛部２２を構成している。目盛部２２を構成する各目盛線２２ａ、２２ｂ、２２ｃ…は、当接縁２１を構成する円弧と平行な曲線として構成されている。したがって、これらの目盛線２２ａ、２２ｂ、２２ｃ…は、当接縁２１と同一の中心を持ち、当接縁２１から目盛部２２の中央２３に向かう同心円弧群を構成している。
【００２８】
このように、当接縁２１を円弧状に形成するとともに、目盛線２２ａ、２２ｂ、２２ｃ…を、当接縁２１から目盛部２２の中央２３に向かう同心円弧群とし、かつ、測定板２の円形の外周のうち、当接縁２１の占める角度を大きく（好ましくは１８０度以上に）設定することで、患者の口腔内の測定対象位置（上下左右）、患者に対する測定者の位置・姿勢、測定者の利き腕等の如何に拘らず、容易かつ正確に、口腔内における２つの部分間の距離を測定することができる。
【００２９】
目盛線２２ａ、２２ｂ、２２ｃ…は同一間隔（この例では１ｍｍ間隔）で設けられている。目盛線２２ａ、２２ｂ、２２ｃ…の所定間隔（この例では５ｍｍ間隔）ごとに、目盛の読み取りを容易にするための基準指標２４が設けられている。この例では、目盛線２２ａ、２２ｂ、２２ｃ…のうち、５ｍｍ間隔ごとに配置された目盛線を、他の目盛線と区別可能な態様とする（この例では、他の目盛線に比し線幅を太くする）ことで、基準指標２４として用いている。
【００３０】
目盛部２２には、また、目盛線に対応する数値を示す数値標２５が設けられている。この例では、５ｍｍを示す基準指標２４の近傍に「５」の数字で表された数値標２５が設けられている。この例では、数値標２５は、目盛部２２の中央２３から、連結ロッド６の結合された部分に至る扇状領域２６に、設けられている。扇状領域２６には、目盛線２２ａ、２２ｂ、２２ｃ…が形成されていない。扇状領域２６の外周部分が、測定板２の外周のうち、当接縁２１を構成していない部分に該当する。
【００３１】
目盛部２２には、さらに、法線指標が設けられている。法線指標は、当接縁２１および各目盛線２２ａ、２２ｂ、２２ｃ…の法線方向を示すことで、目盛の読み取りを容易にするために用いられる。
【００３２】
この例では、目盛部２２の中央２３を通る扇状領域２６の二分線を含む直線と、これに直交する直線とにより、目盛部２２を、中央２３を中心とする四分円に分割するよう構成している。そして、目盛部２２の四分線に相当する、扇状領域２６および３つの分割線２７を、法線指標として用いている。
【００３３】
目盛部２２における各種指標、すなわち、目盛線２２ａ、２２ｂ、２２ｃ…、基準指標２４、数値標２５および分割線２７は、すべて、目盛部２２の表面から彫り込む態様となっているが、これらの指標の表示態様はこれに限定されるものではない。たとえば、これらの指標の一部または全部を、人体に害のない印刷やシール貼付により表示することも可能である。ただし、使い捨てでない場合は、消毒に耐える表示であることが好ましい。
【００３４】
この例では、円板状の測定板２の半径を１０ｍｍ（直径は２０ｍｍ）としているが、測定板の半径はとくに限定されるものではない。ただし、ｍｍ系の測定を行う場合には、測定板２の半径は、５ｍｍの倍数とすることが好ましく、１０ｍｍの倍数とすることがより好ましい。これは、以下の理由による。
【００３５】
図３Ａに示す測定具１において、測定距離（口腔内における２つの部分間の距離）が測定板２の半径を超える場合、口腔内の第１の部分に当接する当接縁２１から中央２３までの距離（すなわち、測定板２の半径）と、当該半径の延長上（すなわち、当該半径を含む直径上）であって中央２３から口腔内の第２の部分の位置に相当する目盛線までの距離との和を計算する必要があるが、測定板２の半径を５ｍｍの倍数（または、１０ｍｍの倍数）としておくと、当接縁２１から中央２３までの距離が５ｍｍの倍数（または、１０ｍｍの倍数）となるため、上記計算が容易になるからである。
【００３６】
もちろん、ｍｍ系以外（例えばインチ系）の測定を行う場合も、上記計算が容易になるよう、測定板２の半径を、当該単位系におけるきりのよい数値（たとえば１/４インチ、１/２インチ、１インチ等）の倍数とすることが好ましい。
【００３７】
また、この例では、測定板２の厚さを１．５ｍｍとしているが、測定板２の厚さはとくに限定されるものではない。ただし、測定板２の厚さは、義歯床前歯部における唇側床翼の標準的な厚さとすることが好ましい。このように構成すれば、測定板２をたとえば、顎堤と唇との間に差し込んで、義歯装着時におけるリップサポートの状態を予め検討することが容易となる。
【００３８】
図３Ｃに示すように、連結ロッド６は略円柱状に形成され、図３Ｄに示すように、ハンドル４は、略八角柱状に形成されているが、もちろん、連結ロッド６およびハンドル４の形状はこれに限定されるものではない。
【００３９】
また、連結ロッド６とハンドル４とは、ねじ（図示せず）等を用いて、分離・結合自在に連結するよう構成されているが、これらを分離不能に連結するよう構成することもできる。ただし、連結ロッド６とハンドル４とを分離・結合自在に連結するよう構成することで、測定者が普段から使い慣れている歯科用ツール（歯科用ミラーなど）のハンドルを、測定具１のハンドル４として用いることができるので、好都合である。
【００４０】
なお、連結ロッド６を介することなく、測定板２とハンドル４とを、直接連結するよう構成することもできる。この場合、測定板２とハンドル４とを、分離・結合自在に連結するよう構成してもよいし、分離不能に連結するよう構成してもよい。
【００４１】
図４Ａおよび図４Ｂは、測定具１の使用方法の一例を説明するため図面である。図４Ａは、無歯顎患者の上顎前歯部における歯槽頂８０と上唇下縁８１との段差ｄを測定する場合における正中矢状断面の一部を示す図面であり、図４Ｂは、その状況を患者の正面から見た模式図である。
【００４２】
図４Ａに示すように、患者の口腔内に測定板２を挿入し、目盛部２２を患者の正面と同方向に向け、当接縁２１を患者の上顎前歯部略中央における歯槽頂８０に軽くあてる。その状態において、図４Ｂに示すように、当接縁２１のうち歯槽頂８０に当接している部分の法線上における患者の上唇下縁８１の位置を目盛線から読み取る。
【００４３】
上述の法線指標、すなわち扇状領域２６および３つの分割線２７（図３Ａ参照）は、当接縁２１のうち歯槽頂８０に当接している部分における法線の見当をつける補助となる。
【００４４】
図４Ｂに示す例では、当接縁２１のうち歯槽頂８０に当接している部分の法線上における患者の上唇下縁８１は、当接縁２１から内側に向かって７番目の目盛線に合致していることから、この患者の上顎前歯部における歯槽頂８０と上唇下縁８１との段差ｄは７ｍｍであることがわかる。
【００４５】
ちなみに、図４Ｂに示す状態での、この患者の上顎前歯部における歯槽頂８０と下唇上縁８２との距離（実際に測定する意味はない）は、測定板２の半径を超えているが、１６ｍｍであることが、容易に読み取れる。
【００４６】
測定具１の材質としてステンレス鋼を用いているが、測定具１の材質はとくに限定されるものではない。測定具１の材質として、人体に害のない、他の金属や合成樹脂を用いることができる。ただし、使い捨てでない場合は、消毒に耐える材質であることが好ましい。また、測定具１を構成する部材（この例では、測定板２、連結ロッド６、ハンドル４）ごとに、異なる材質を用いることもできる。
【００４７】
つぎに、この発明の他の実施形態による口腔用測定具である測定具１０１について説明する。
【００４８】
図５Ａは、測定具１０１の測定板１０２近傍の部分拡大斜視図である。図５Ｂは、測定板１０２近傍の部分拡大底面図である。
【００４９】
図５Ａおよび図５Ｂに示すように、測定板１０２は、平面視において略小判形の板状に形成されている。図５Ｂに示すように、測定板１０２の略小判形の外周のうち、図中上下一対の略円弧状の部分のそれぞれ略中央部分が当接縁１２１である。
【００５０】
図５Ａに示すように、測定板１０２の上面（小判型の略平面）が目盛部１２２を構成している。目盛部１２２を構成する各目盛線１２２ａ、１２２ｂ、１２２ｃ…は、当接縁１２１における接線と平行な直線として構成されている。したがって、これらの目盛線１２２ａ、１２２ｂ、１２２ｃ…は、一方の当接縁１２１から他方の当接縁１２１に向かう平行な直線群を構成している。
【００５１】
目盛線１２２ａ、１２２ｂ、１２２ｃ…は同一間隔（この例では１ｍｍ間隔）で設けられている。目盛線１２２ａ、１２２ｂ、１２２ｃ…の所定間隔（この例では５ｍｍ間隔）ごとに、基準指標１２４が設けられている。目盛部１２２には、また、数値標１２５が設けられている。なお、この実施形態においては、上述の法線指標（図３Ａに示す扇状領域２６および３つの分割線２７）に相当する指標は、備えていない。
【００５２】
また、測定板１０２に対して、斜め上方に向けて連結ロッド１０６が結合されているが、図５Ｂに示すように、測定板１０２は、測定板１０２の略中央に設けられた取付軸１０６ａを中心として、図中Ｒ方向に、回動可能に結合されている。
【００５３】
このように構成することで、患者の口腔内の測定対象位置（上下左右）、患者に対する測定者の位置・姿勢、測定者の利き腕等の如何に拘らず、当接縁１２１を、常に口腔内の第１の部分に当接させるとともに、その状態における口腔内の第２の部分の位置を目盛部１２２で読み取ることが可能となる。
【００５４】
測定具１０１のその余の構成は、上述の測定具１の構成と同様である。
【００５５】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【符号の説明】
【００５６】
１                      ：測定具
２                      ：測定板
４                      ：ハンドル
２１                    ：当接縁
２２                    ：目盛部
２２ａ、２２ｂ、２２ｃ…：目盛線
【図１】
2018198888.tif 000003
【図２】
2018198888.tif 000004
【図３】
2018198888.tif 000005
【図４】
2018198888.tif 000006
【図５】
2018198888.tif 000007
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
口腔内における２つの部分間の距離を測定する口腔用測定具であって、
患者の口腔内に挿入される板状の測定板と、前記測定板に連結されたハンドルと、を備え、
前記測定板は、
当該測定板の外周の一部により構成され、口腔内の第１の部分に当接する当接縁と、
当該測定板の略平面状の面により構成され、前記当接縁が口腔内の第１の部分に当接した状態における口腔内の第２の部分の位置を読み取るための複数の目盛線を備えた目盛部と、
を備えたこと、
を特徴とする口腔用測定具。
【請求項２】
請求項１の口腔用測定具において、
当該口腔用測定具は、上顎前歯部における歯槽頂と上唇下縁との段差を測定する口腔用測定具であって、
前記当接縁は、歯槽頂に当接するよう構成され、
前記複数の目盛線は、前記当接縁が歯槽頂に当接した状態における上唇下縁の位置を読み取るために設けられたこと、
を特徴とする口腔用測定具。
【請求項３】
請求項１または２の口腔用測定具において、
前記当接縁は、滑らかな凸型曲線状に形成され、
前記各目盛線は、前記当接縁を構成する凸型曲線と平行な曲線として構成されたこと、
を特徴とする口腔用測定具。
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
口腔内における２つの部分間の距離を測定する口腔用測定具であって、
患者の口腔内に挿入される板状の測定板と、前記測定板に連結されたハンドルと、を備え、
前記測定板は、
当該測定板の外周の一部により構成され、口腔内の第１の部分に当接する当接縁と、
当該測定板の略平面状の面により構成され、前記当接縁が口腔内の第１の部分に当接した状態における口腔内の第２の部分の位置を読み取るための複数の目盛線を備えた目盛部と、
を備えた口腔用測定具において、
当該口腔用測定具は、上顎前歯部における歯槽頂と上唇下縁との段差を測定する口腔用測定具であって、
前記当接縁は、歯槽頂に当接するよう構成され、
前記複数の目盛線は、前記当接縁が歯槽頂に当接した状態における上唇下縁の位置を読み取るために設けられたこと、
を特徴とする口腔用測定具。
【請求項２】
口腔内における２つの部分間の距離を測定する口腔用測定具であって、
患者の口腔内に挿入される板状の測定板と、前記測定板に連結されたハンドルと、を備え、
前記測定板は、
当該測定板の外周の一部により構成され、口腔内の第１の部分に当接する当接縁と、
当該測定板の略平面状の面により構成され、前記当接縁が口腔内の第１の部分に当接した状態における口腔内の第２の部分の位置を読み取るための複数の目盛線を備えた目盛部と、
を備えた口腔用測定具において、
前記当接縁は、滑らかな凸型曲線状に形成され、
前記各目盛線は、前記当接縁を構成する凸型曲線と平行な曲線として構成されたこと、
を特徴とする口腔用測定具。
【請求項３】
請求項１の口腔用測定具において、
前記当接縁は、滑らかな凸型曲線状に形成され、
前記各目盛線は、前記当接縁を構成する凸型曲線と平行な曲線として構成されたこと、
を特徴とする口腔用測定具。